(57)【要約】【課題】コンクリート床に隣接して二重床を形成するに際し、施工の効率化を計り、工期短縮、コスト削減を図ることのできる金物、床の施工方法等を提供することを目的とする。【解決手段】レベル調整ナット６６によってレベル出し部材６２のレベル調整が可能なレベル調整部６０を備えた金物４０を、型枠板５０に隣接して設置し、所定のレベルに設置したレベル出し部材６２に合わせてコンクリートＣを打設する。そして、必要に応じ、レベル出し部材６２のレベルを再調整を行い、コンクリートＣの追加打設を行い、コンクリート床３０Ｃを形成する。この後、パネル床３０Ｐを形成することで、コンクリート床３０Ｃとパネル床３０Ｐとからなる床３０を施工するようにした。また、金物４０は、型枠板５０の傾きを防止する補強部７０を備えることもできる。【選択図】　　　図２
2004132050.tif 000002
【特許請求の範囲】
【請求項１】
コンクリート床とこれに隣接して設置されるパネル床との継ぎ目において、前記コンクリート床の側面を形成する型枠とともに用いられる金物であって、
前記コンクリート床が形成される基礎面上に設置されるベース部材と、
前記コンクリート床を形成するコンクリートの打設レベルの基準面となるレベル出し部材と、
前記ベース部材から上方に延び、前記レベル出し部材の位置を上下に調整する位置調整部と、
を備えることを特徴とする金物。
【請求項２】
前記コンクリート床の側面を形成する型枠が前記ベース部材に一体化され、かつ前記レベル出し部材が前記型枠に沿って上下動可能な状態とされていることを特徴とする請求項１に記載の金物。
【請求項３】
前記位置調整部は、
前記ベース部材から上方に延びる棒材と、
前記棒材に沿って上下方向に移動可能に装着され、前記レベル出し部材を支持するレベル調整部材と、
から構成されることを特徴とする請求項１または２に記載の金物。
【請求項４】
前記レベル出し部材は、その上面と下面にそれぞれ孔が形成された角パイプからなり、
棒ネジからなる前記棒材に螺着し、前記棒材を下面の前記孔から突出させた状態で前記レベル出し部材を支持する前記レベル調整部材と、上面の前記孔から挿入され前記棒ネジに螺着された固定ナットとにより、前記レベル出し部材が固定されていることを特徴とする請求項３に記載の金物。
【請求項５】
前記固定ナットは、外形略円筒状で、その外径が、前記レベル出し部材の下面の前記孔よりも大きく、かつ上面の前記孔よりも小さく設定されていることを特徴とする請求項４に記載の金物。
【請求項６】
前記金物および前記型枠と前記基礎面とを連結し、前記金物および前記型枠の鉛直度を保持する保持部材をさらに備えることを特徴とする請求項１から５のいずれかに記載の金物。
【請求項７】
基礎面上に立脚した支柱および前記支柱に支持されたフロアパネルから形成されるパネル床と、
前記パネル床に隣接し、前記パネル床と略同レベルに設定されたコンクリート床と、を備え、
前記パネル床と前記コンクリート床との継ぎ目の部分に、
前記コンクリート床の側面を覆う板体と、
前記板体に対して前記パネル床側において、前記板体および前記基礎面に沿って位置する下部部材と、
前記パネル床および前記コンクリート床の床面と略同レベルに沿って位置する上部部材と、
前記下部部材から上方に延び、前記上部部材を上下方向に移動可能に支持する支持部材と、
が設けられていることを特徴とする建物。
【請求項８】
基礎面上に立脚した支柱および前記支柱に支持された床パネルから形成されるパネル床と、前記パネル床と略同レベルに設定されたコンクリート床とが隣接する床の施工方法であって、
前記基礎面上に前記コンクリート床を形成するための型枠を設けるとともに、前記コンクリート床を形成するコンクリートの打設レベルを前記床のレベルに合わせるためのレベル出し部材を、前記型枠に沿った位置に上下動可能な状態で設ける工程と、
前記型枠内に前記レベル出し部材を基準としてコンクリートを打設することで前記コンクリート床を形成する工程と、
前記コンクリート床に隣接した位置にて、前記基礎面上に支柱を立てるとともに、前記支柱上にフロアパネルを設置することで前記パネル床を形成する工程と、
を有することを特徴とする床の施工方法。
【請求項９】
前記コンクリート床を形成する工程にて、前記コンクリートの打設後、前記レベル出し部材のレベルを調整し、レベル調整後の前記レベル出し部材を基準としてコンクリートを追加打設することを特徴とする請求項８に記載の床の施工方法。
【請求項１０】
前記コンクリートの硬化後も、前記型枠および前記レベル出し部材を残置することを特徴とする請求項８または９に記載の床の施工方法。
【発明の詳細な説明】
【０００１】
【発明の属する技術分野】
本発明は、パネル床とコンクリート床とが隣接する床の施工に用いて好適な金物、床の施工方法等に関する。
【０００２】
【従来の技術】
近年、フリーアクセスフロア等と称されるパネル床（パネル床）が多く施工されている。このパネル床は、建物のスラブ上に支柱を立て、この支柱上にフロアパネルを敷設することで、室内の床面を形成するものであり、このようなパネル床は、防音性の確保や、床下に配管や配線を収納できるという利点を有している。
このようなフロアパネルでは、床面の不陸を防ぐため、支柱に高さ調整機能を備えているのが一般である（例えば、特許文献１、２参照。）。
【０００３】
【特許文献１】
特開２００１−１５２６５１号公報（第４頁、図１）
【特許文献２】
特開平１１−１０７４１６号公報（第６頁、図１）
【０００４】
ところで、例えばクリーンルームや地下ピット等においてパネル床を適用する場合、室内の中央部のみをパネル床とし、その外周部はパネル床のフロアパネルと同レベルまで打設したコンクリートによって形成することがある。
このような構造の床を施工する場合、図８〜図９に示すような施工手順を踏む。
図８および図９は、例えば鉄骨造の建物において、クリーンルームの床をパネル床とする場合の例である。
図８（ａ）に示すように、建物の躯体を構成する鉄骨梁１の上面において、後にコンクリート床を形成する部分に断面波状の鋼板２を敷設する。また、後にパネル床を形成する部分には、鉄骨梁１の上面にスラブ板３を敷設する。
そして、コンクリート床を形成するための型枠４を鉄骨梁１（あるいは鋼板２）上に設置する。また、この型枠４の型枠面４ａに接するように、例えば角材や角パイプ５を、コンクリート床およびパネル床の上面レベルとなるべき位置に合わせて、鉄骨梁１や鋼板２に溶接固定した差し筋６等によって所定の高さに設置する。この角パイプ５は、後に説明するように、コンクリート床のレベル調整用のコンクリートを打設するための代（しろ）を形成するためのものである。
続いて、図８（ｂ）に示すように、鋼板２上の型枠４（と図示しない壁面）によって囲まれた部分に、コンクリート床を形成する一次コンクリートＣ１を打設する。このとき、一次コンクリートＣ１は、その打設レベルが、角材や角パイプ５の上面、つまりコンクリート床およびパネル床の上面レベルよりも下方となるように打設する。
図８（ｃ）に示すように、打設した一次コンクリートＣ１の硬化後、型枠４を解体し、撤去する。また、角材や角パイプ５も撤去する。そして、型枠４を解体することで露出した一次コンクリートＣ１の側面７に、防塵用の塗料等を必要に応じて塗布する。
【０００５】
この後、図９（ａ）に示すように、スラブ板３上の所定位置に、所定本数の支柱１０を立て、支柱１０上にフロアパネル１１を敷設することで、間隔を隔てたスラブ板３とフロアパネル１１とからなるパネル床Ｆ１が形成される。このとき、フロアパネル１１は、支柱１０に備えた図示しない高さ調整機構によって所定の高さに調整する。
この段階で、パネル床Ｆ１の上面レベルと、コンクリート床を形成する一次コンクリートＣ１の上面レベルとは異なっている（一次コンクリートＣ１の上面レベルの方が低い）。
そこで、図９（ｂ）に示すように、先に打設した一次コンクリートＣ１上に、二次コンクリートＣ２を追加打設し、その上面レベルをパネル床Ｆ１の上面レベルに合わせる。
これによって、パネル床Ｆ１に隣接して、パネル床Ｆ１と同レベルのコンクリート床Ｆ２が形成されることになる。
【０００６】
【発明が解決しようとする課題】
しかしながら、上記したような施工方法では、（１）型枠４、角材や角パイプ５の設置、（２）一次コンクリートＣ１の打設、養生（硬化）、（３）型枠４の解体、撤去、（４）フロアパネル１１の設置、（５）二次コンクリートＣ２の打設、養生、と合計５工程を要している。
特に、コンクリート床Ｆ２を形成するために、一次コンクリートＣ１の打設、二次コンクリートＣ２の打設と、２回にわたってコンクリート打設を行っている。一次コンクリートＣ１、二次コンクリートＣ２の打設時には、それぞれの硬化のために養生期間が必要であり、これが工期短縮の妨げとなっている。
【０００７】
また、施工計画上、コンクリート工（左官）が施工を担当する（２）、（５）の工程の間に、型枠工や金物工等が施工を行う（３）、（４）の工程が入るため、特にコンクリート工の工程が寸断され、これによって人員コストの削減も難しいと言う問題がある。
この他、高いクリーン度が要求されるクリーンルーム等においては、型枠４を撤去することで露出する一次コンクリートＣ１の側面７に防塵用の塗装等を施す必要があり、これもコスト削減の妨げとなっている。
【０００８】
本発明は、このような技術的課題に基づいてなされたもので、コンクリート床に隣接してパネル床を形成するに際し、施工の効率化を計り、工期短縮、コスト削減を図ることのできる金物、床の施工方法等を提供することを目的とする。
【０００９】
【課題を解決するための手段】
ここで、図８（ａ）に示した型枠４を設置する段階で、型枠４の上端レベルを、予め形成すべきパネル床の上面レベルに合わせておき、図８（ｂ）に示した一次コンクリートＣ１の打設時に、型枠４の上端レベルに合わせて一次コンクリートＣ１を打設することで、図９（ｂ）に示した二次コンクリートＣ２の打設工程を省略することが考えられる。
しかし、一次コンクリートＣ１を打設すると、一次コンクリートＣ１の重量によりこれを支持する鉄骨梁１が下方に撓む。これに伴い、一次コンクリートＣ１の打設レベルの基準となる型枠４の上端レベルが下方にずれてしまう。このため、一次コンクリートＣ１を、形成すべきパネル床の上面レベル（絶対レベル）に合わせて打設するのは、実質的に不可能なのである。
【００１０】
これに対してなされた本発明の金物は、コンクリート床とこれに隣接して設置されるパネル床との継ぎ目において、コンクリート床の側面を形成する型枠とともに用いられる金物であって、この金物は、コンクリート床が形成される基礎面上に設置されるベース部材と、コンクリート床を形成するコンクリートの打設レベルの基準面となるレベル出し部材と、ベース部材から上方に延び、レベル出し部材の位置を上下に調整する位置調整部と、を備えることを特徴とする。
このような金物では、位置調整部によりレベル出し部材の位置が上下に調整可能となっているので、コンクリートの打設によって床を支持する梁等が下方に撓んでも、これに応じてレベル出し部材の位置を再調整することができる。
【００１１】
また、このような金物は、コンクリート床の側面を形成する型枠をベース部材に一体化し、レベル出し部材を金物に沿って上下動可能な状態とすることもできる。つまり金物と型枠を一体の製品等とすることもできる。
【００１２】
さて、前記の位置調整部は、レベル出し部材の位置が上下に調整できるのであればいかなる構成であっても良いが、例えば、ベース部材から上方に延びる棒材と、棒材に沿って上下方向に移動可能に装着されてレベル出し部材を支持するレベル調整部材と、から構成することもできる。
また、このような構成において、レベル出し部材を、その上面と下面にそれぞれ孔が形成された角パイプで構成し、棒材を棒ネジから構成し、レベル調整部材をこの棒材に螺着するネジ部を有したナット等で構成することもできる。この場合、このレベル出し部材は、棒材を下面の孔から突出させた状態の棒材に螺着させたレベル調整部材上で、レベル（位置）を調整して支持される。そして、このレベル調整部材と、レベル出し部材の上面の孔から挿入されて棒ネジに螺着された固定ナットとで、レベル出し部材を固定するのである。
さらに、この固定ナットを、外形略円筒状で、その外径が、レベル出し部材の下面の孔よりも大きく、かつ上面の孔よりも小さなものとすれば、この固定ナットに通常の六角ナットを利用する場合に比較し、固定ナットおよびレベル出し部材を小型化することができる。
【００１３】
また、上記の金物に、金物および型枠と基礎面とを連結し、金物および型枠の鉛直度を保持する保持部材をさらに備えることもできる。これにより、型枠内に打設したコンクリートの圧力によって型枠や金物が傾くのを防止できる。この保持部材は、型枠に対して金物とは反対側、つまり型枠の内部側に設けても良いし、型枠に対して金物側に設けても良い。
【００１４】
さて、本発明は、基礎面上に立脚した支柱および支柱に支持されたフロアパネルから形成されるパネル床と、パネル床に隣接し、パネル床と略同レベルに設定されたコンクリート床と、を備える建物として捉えることもできる。この建物は、パネル床とコンクリート床との継ぎ目の部分に、コンクリート床の側面を覆う板体と、板体に対してパネル床側において、板体および基礎面に沿って位置する下部部材と、パネル床およびコンクリート床の床面と略同レベルに沿って位置する上部部材と、下部部材から上方に延び、上部部材を上下方向に移動可能に支持する支持部材と、が設けられていることを特徴とする。このような構成の建物は、上記したような金物を用いてコンクリート床を形成することにより実現される。
【００１５】
また、本発明は、基礎面上に立脚した支柱および支柱に支持された床パネルから形成されるパネル床と、パネル床と略同レベルに設定されたコンクリート床とが隣接する床の施工方法として捉えることもできる。この施工方法では、基礎面上にコンクリート床を形成するための型枠を設けるとともに、型枠に沿った位置に、コンクリート床を形成するコンクリートの打設レベルを、形成すべき前記床のレベルに合わせるためのレベル出し部材を上下動可能な状態で設ける。そして、型枠内にレベル出し部材を基準としてコンクリートを打設することでコンクリート床を形成する。また、このコンクリート床に隣接した位置にて、基礎面上に支柱を立てるとともに、支柱上にフロアパネルを設置することでパネル床を形成するのである。
ここで、コンクリート床を形成する工程にて、コンクリートの打設後、レベル出し部材のレベルを調整し、レベル調整後のレベル出し部材を基準としてコンクリートを追加打設することもできる。
また、コンクリートの硬化後、型枠およびレベル出し部材を撤去しても良いが、型枠およびレベル出し部材を残置することもできる。
【００１６】
【発明の実施の形態】
以下、添付図面に示す実施の形態に基づいてこの発明を詳細に説明する。
図１は、本実施の形態における金物および床の施工方法を用いて施工する建物を説明するための図である。
この図１に示すように、建物２０は、躯体を構成する柱２１、２１間に架設された梁２２に、適宜間隔で小梁２３が設けられている。室内空間を形成する床３０は、その四方を梁２２によって囲まれた部分に、所定本数の小梁２３に支持される形で形成されている。この図１において、符号２４は、床３０の周囲に設けられた壁である。
【００１７】
ここで、床３０は、その外周側がコンクリート床３０Ｃとされ、内周側が所定枚数のフロアパネル３１を敷設することで形成されるパネル床３０Ｐとなっている。
図２に示すように、コンクリート床３０Ｃは、小梁２３と周囲の梁２２間に敷設された鋼板（基礎面）３２上にコンクリートＣを所定のレベルまで打設することで形成されている。
パネル床３０Ｐは、小梁２３上に敷設されたベース板３３上に、所定の大きさのフロアパネル３１が支柱３４を介して支持されることで形成されている。ここで支柱３４は、例えば、ネジ部３５ａを有したベース部３５と、ネジ部３５ａに噛み合うナット３６と、ナット３６上に支持され、フロアパネル３１の下面に図示しないネジやピンで固定されるパネル支持部材３７とから構成されている。これにより、ナット３６を回転させることでナット３６およびパネル支持部材３７がネジ部３５ａに沿って上下し、支柱３４で支持するフロアパネル３１の高さを調整できるようになっている。
【００１８】
本実施の形態において、上記のようなコンクリート床３０Ｃとパネル床３０Ｐは、小梁２３の上部フランジ２３ａ上で互いに隣接するようになっている。
コンクリート床３０Ｃとパネル床３０Ｐの継ぎ目の部分には、金物４０が設置されている。
この金物４０は、後に詳述するようにコンクリート床３０Ｃを施工するときに型枠として機能するものである。金物４０は、コンクリート床３０Ｃの側面３８を覆う型枠板（型枠、板体）５０に隣接して設置され、型枠板５０に対しパネル床３０Ｐ側に位置するレベル調整部６０と、型枠板５０に対しコンクリート床３０Ｃ側に位置し、コンクリート床３０Ｃ内に埋設された形の補強部（保持部材）７０とから構成される。
【００１９】
図３に示すように、レベル調整部６０は、ベース部材（下部部材）６１、レベル出し部材（上部部材）６２、レベル調整部材（位置調整部、棒材、支持部材）６３、からなる。ベース部材６１は、レベル調整部６０を小梁２３上に設置する際のベースとなるもので、例えば断面ロ字状の角パイプによって構成されている。レベル出し部材６２は、コンクリート床３０Ｃを形成するコンクリートＣを打設する際の打設レベルの基準となるもので、本実施の形態では、角パイプによって構成されている。
【００２０】
レベル調整部材６３は、ベース部材６１に対しレベル出し部材６２のレベルを調整するための機能を有しており、所定長を有したベース部材６１、レベル出し部材６２に対し、所定本数（少なくとも両端部）が配置される。
各レベル調整部材６３は、その外周面にネジ溝が形成された棒ネジからなり、その下端部がベース部材６１の上面に形成された孔６１ａに挿入された状態で、例えばダブルナット６４、６５によってベース部材６１に固定されている。
【００２１】
図３および図４に示すように、このレベル調整部材６３の上端部には、レベル調整ナット（位置調整部、レベル調整部材、支持部材）６６が装着されている。レベル出し部材６２は、その下面にレベル調整ナット６６よりも小径の孔６２ａが形成されている。このレベル出し部材６２は、この孔６２ａにレベル調整部材６３の上端部を挿入した状態でレベル調整ナット６６上に載置されることで、その高さが位置決めされる。
また、レベル出し部材６２の上面には、孔６２ａよりも大径の孔６２ｂが形成されている。そして、レベル出し部材６２の内方に突出しているレベル調整部材６３の先端部には、固定ナット６７がねじ込まれている。図４、図５に示すように、この固定ナット６７は、略円筒状で、下面にはレベル調整部材６３に噛み合うネジ穴６７ａが形成され、上面には、固定ナット６７を回すための工具が嵌まる六角穴６７ｂが形成され、その外径は、孔６２ｂよりも小径でかつ孔６２ａよりも大径とされている。このような固定ナット６７を、レベル出し部材６２の上面の孔６２ｂからレベル出し部材６２の内方に挿入し、六角穴６７ｂに対応する工具でレベル調整部材６３の先端部にねじ込むと、この固定ナット６７の下面とレベル調整ナット６６の上面とでレベル出し部材６２の下側を挟み込む。これによって所定の高さに調整したレベル調整ナット６６にレベル出し部材６２を固定できるようになっている。
図２、図３に示したように、このレベル出し部材６２上には、必要に応じ、コンクリート床３０Ｃとパネル床３０Ｐの隙間を塞ぐ、断面略Ｌ字状の見切り金物８０を装着することもできる。
【００２２】
また、図２および図４に示したように、所定の長さを有したベース部材６１、レベル出し部材６２に対し、所定間隔毎に配置されたレベル調整部材６３のうち、少なくともその一部のレベル調整部材６３の中間部には、このレベル調整部６０を型枠板５０および補強部７０に固定・連結するためのネジ部材６８が装着されている。このネジ部材６８は、一端側が雄ネジ部６８ａ、他端側がリング状のスリーブ部６８ｂとされ、スリーブ部６８ｂにレベル調整部材６３が挿通されることで、ネジ部材６８がレベル調整部材６３に対して上下に移動可能となっている。
【００２３】
図４に示したように、型枠板５０には、所定の位置に孔５１が形成されている。この型枠板５０に対し、レベル調整部６０は、上下のベース部材６１、レベル出し部材６２を沿わせた状態で、孔５１にネジ部材６８が挿入されることで、このネジ部材６８は型枠板５０の反対側に突出している。そして、このネジ部材６８に、型枠板５０の反対側から筒状のナット７１がねじ込まれることで、型枠板５０とレベル調整部６０は一体に連結された状態となっている。ここで、孔５１の部分には、ブッシュ５２が嵌め込まれ、孔５１とネジ部材６８との隙間を塞ぐようになっている。
【００２４】
図２に示したように、補強部７０は、前記のネジ部材６８にねじ込まれたナット７１の他端に、調整ネジ７２をねじ込むとともに、コンクリート床３０Ｃの鋼板３２に調整ネジ７３の一端を溶接し、これら調整ネジ７２、７３をターンバックル７４で連結することで構成される。このような補強部７０は、鋼板３２と型枠板５０を斜めに連結するように配設され、これによって型枠板５０およびレベル調整部６０の角度（鉛直度）を固定する機能を有している。
【００２５】
さて次に、上記したような金物４０を用いて床３０を施工する方法について説明する。
床３０を施工するには、まず、図６に示すように、先に設置された小梁２３の上部フランジ２３ａの上面に、金物４０をセットする。これにはまず、上部フランジ２３ａの上面に予め施された墨出しに合わせて、ベース部材６１を位置決めし、これを上部フランジ２３ａに溶接する。そして、ベース部材６１には、レベル調整部材６３をダブルナット６４、６５によって取り付け、レベル調整部材６３にはネジ部材６８やレベル調整ナット６６を取り付ける。
また、型枠板５０を、ベース部材６１に沿わせてセットし、その下端部をベース部材６１および小梁２３の上部フランジ２３ａに溶接する。このとき、型枠板５０は、その下端部をベース部材６１に溶接して一体化しておき、ベース部材６１と同時に小梁２３上に溶接するようにしてもよい。
【００２６】
一方、鋼板３２の上面には、ネジ部材６８を備えたレベル調整部材６３に対応した位置に、補強部７０の調整ネジ７３の一端を溶接する。そして、調整ネジ７２を、調整ネジ７３にターンバックル７４で接続する。また、型枠板５０に予め形成された孔５１に合わせてネジ部材６８の高さを調節し、この孔５１にネジ部材６８を差し込む。このとき、孔５１にはブッシュ５２を嵌め込み、ネジ部材６８と孔５１の隙間を塞ぐようにする。そして、ネジ部材６８を、調整ネジ７２にナット７１で接続する。
この後、ターンバックル７４を回すことにより、型枠板５０の鉛直度を調整する。
【００２７】
次いで、各レベル調整部材６３にセットされたレベル調整ナット６６上に、レベル出し部材６２をセットする。このとき、レベル調整ナット６６を回すことで、レベル出し部材６２の上面のレベルを、形成すべきコンクリート床３０Ｃの上面レベルに合わせて調整する。この状態で、レベル出し部材６２の内方には、レベル調整部材６３の先端部が突出している。
レベル出し部材６２のレベル調整が完了した後、レベル出し部材６２の上面側の孔６２ｂから固定ナット６７を挿入し、レベル調整部材６３の先端部にねじ込む。これによって、レベル出し部材６２がレベル調整ナット６６と固定ナット６７との間に挟み込まれ、固定されることになる。
この状態で、レベル出し部材６２は型枠板５０の上端部に沿ってはいるものの、型枠板５０とは縁が切れた状態となっている。
これにより、金物４０のセットが完了した状態となる。
【００２８】
この後、図７に示すように、型枠板５０内にコンクリートＣを打設する。コンクリートＣの打設レベルは、金物４０のレベル出し部材６２の上面に合わせる。このとき、打設したコンクリートＣの荷重により、小梁２３等が下方に撓むことがあるが、この撓みに応じ、この時点でレベル出し部材６２のレベルを再調整することができる。これには、ある程度コンクリートＣを打設した時点で、レベル出し部材６２の絶対レベルを計測し、所定以上のズレが認められれば、固定ナット６７を緩め、レベル調整ナット６６を回してレベル出し部材６２のレベルを調整する。そして、レベル調整後、再度固定ナット６７を締め付けることで、レベル出し部材６２のレベルの再調整が完了する。
そして、再調整したレベル出し部材６２に合わせ、コンクリートＣを追加打設すれば良い。
この、レベル出し部材６２の再調整には、さほど時間がかからないのは明白であるため、コンクリートＣの打設を一時中断するのみで良く、したがって工程（施工日程）上から言えば、コンクリートＣの打設は一工程（一度）に行うことができる。
【００２９】
なおこのとき、打設したコンクリートＣにより、型枠板５０をレベル調整部６０側に押圧する力が作用するが、型枠板５０およびレベル調整部６０は、補強部７０によって支持されているため、この力に抗することができ、型枠板５０が側方に傾くのを防止できる。
本発明者がこの点を確認するための実験を行ったところ、補強部７０を用いない場合には、コンクリートＣの打設後に型枠板５０の上端部において２ｍｍ程度の傾きが認められたが、補強部７０を用いた場合には、型枠板５０の傾きは認められなかった。
【００３０】
さて、打設したコンクリートＣが硬化すると、これによってコンクリート床３０Ｃが形成されることになる。
この後、図２に示したように、小梁２３の上部フランジ２３ａ上に、ベース板３３が一体化された支柱３４を所定本数セットする。そして、これら支柱３４上にフロアパネル３１を取り付け、固定することで、パネル床３０Ｐが形成される。
このとき、フロアパネル３１の設置時に、フロアパネル３１の側面と金物４０のレベル出し部材６２との間に、例えば５〜１０ｍｍの隙間をあけておき、フロアパネル３１の設置後に、レベル出し部材６２上に見切り金物８０をセットし、前記の隙間を塞ぐようにするのが好ましい。これにより、フロアパネル３１の気温による寸法変化や、設置誤差等に対応することができる。
このようにして、コンクリート床３０Ｃとパネル床３０Ｐとからなる床３０の施工が完了する。
【００３１】
上述したように、レベル調整ナット６６によってレベル出し部材６２のレベル調整を行える金物４０を用いることにより、コンクリートＣの打設による小梁２３等の撓み等が生じても、これに応じたレベル調整を容易に行うことができる。これにより、コンクリートＣの打設を１工程で行うことが可能となり、２工程に分けていた従来工法に比較すれば、床３０の施工に要する工期を大幅に削減することができる。また、コンクリートＣの打設を行うコンクリート工の作業も不要に分断されず、したがって人員コストの削減も可能となる。
しかも、金物４０を残置し、そのまま床３０の一部としてしまうことによって、従来のように型枠４（図８参照）の解体・撤去を行う必要もなく、また型枠板５０によってコンクリート床３０Ｃの側面３８も覆われたままの状態となるため、防塵用の塗装等も行う必要が無い。その結果、施工コストを削減することが可能となる。
【００３２】
また、上記したような金物４０においては、レベル調整部６０を、角パイプや棒ネジ、ナット等、容易に入手可能な部材で形成するようにしたので、金物４０を非常に低コストで製作することができる。また、このような金物４０は、組み立て式とできるので、組み立て前の状態ではコンパクトで運搬が容易であり、また組み立ても容易に行うことができる。
レベル調整ナット６６上にセットするレベル出し部材６２を固定するための固定ナット６７については、通常のナット（六角ナット）ではなく、外径略円筒状とした。これにより、通常のナットよりも外径を小さくすることが可能となり、レベル出し部材６２を、より幅の狭いものとすることができる。これは、コンクリート床３０Ｃとパネル床３０Ｐの間に存在することになるレベル出し部材６２をなるべく小さくすることに貢献することになる。
【００３３】
さらに、上記金物４０は、打設されるコンクリートＣ中に埋設される補強部７０を有しているので、これによって打設したコンクリートＣによる加圧力で型枠板５０が傾くのを抑えることができ、コンクリート床３０Ｃの施工精度を高めることができる。
【００３４】
なお、上記実施の形態では、金物４０の型枠板５０およびレベル調整部６０を施工後にもそのまま残置する構成としたが、これに限るものではなく、コンクリート床３０Ｃの施工後に撤去するようにしても良い。
また、施工の順序についても、上記の金物４０を用いて床３０を形成することができるのであれば、上記の実施の形態で示したものに何ら限定されるものではない。
さらに、金物４０は、例えば要求される施工精度等に応じ、補強部７０を廃した構成としたり、他の細部を適宜異なる構成とすることが可能である。例えば、レベル調整部６０を角パイプやナット、棒ネジ等で構成するようにしたが、レベル調整部材６３とベース部材６１を予め溶接したり、あるいはこれらを一体の成形品とすること等は、設計事項の範疇に入る。
さらに、パネル床３０Ｐの構成、つまり支柱３４やフロアパネル３１の構成については何ら限定するものではなく、種々の工夫を凝らした構成を支柱３４やフロアパネル３１に適用するのが望ましい。
【００３５】
加えて、上記実施の形態では、建物２０の躯体を鉄骨造とする例としたが、もちろん、鉄筋コンクリート（ＲＣ）造、鉄骨鉄筋コンクリート（ＳＲＣ）造等、他の構造とすることも可能である。また、これらの場合や、プレキャスト、ハーフプレキャスト造のスラブを用いる場合等には、金物４０をコンクリート面上に設置することもある。このような場合、ベース部材６１は、溶接ではなく、コンクリートビス等、適宜の固定手段を用いて固定すればよい。
また、上記実施の形態では、クリーンルーム等の床３０に本発明を適用する例を示したが、例えば、外周部がコンクリートによって形成される地下ピットにおいて、地下ピットのピット部分（凹部）にパネル床３０Ｐを形成する場合等においても、上記と同様にして本発明を適用することが可能である。
これ以外にも、本発明の主旨を逸脱しない限り、上記実施の形態で挙げた構成を取捨選択したり、他の構成に適宜変更することが可能である。
【００３６】
【発明の効果】
以上説明したように、本発明によれば、レベル調整の容易なレベル出し部材を備えた金物を用いることで、コンクリート床を形成するコンクリートの打設を１工程で行うことが可能となる。これにより、工期の短縮化を図ることができる。
また、このような金物をそのまま床の一部としてしまうことで、型枠の解体・撤去や、コンクリートの防塵塗装等が不要となり、この点においても施工コスト、工期の短縮化に貢献できる。
さらに、打設したコンクリートの押圧力に抗する補強部を備えることで、金物の精度を維持することができ、施工精度を向上させることもできる。
【図面の簡単な説明】
【図１】本実施の形態における金物を適用して施工する建物の床の一例を示す図であり、（ａ）は平面図、（ｂ）は立断面図である。
【図２】コンクリート床とパネル床の継ぎ目に位置する金物の構成を示す断面図である。
【図３】金物の要部を示す図である。
【図４】金物のレベル調整部分の構造を示す断面図である。
【図５】金物の設置状態を示す斜視図である。
【図６】本実施の形態における金物を用いての施工方法を示す図であり、金物および型枠を設置した状態を示す図である。
【図７】同、図６に示した状態に続き、コンクリートを打設した状態を示す図である。
【図８】従来の施工方法を示す図である。
【図９】図８に続く工程を示す図である。
【符号の説明】
２０…建物、２３…小梁、３０Ｃ…コンクリート床、３０Ｐ…パネル床、３０…床、３１…フロアパネル、３２…鋼板（基礎面）、３３…ベース板、３４…支柱、３８…側面、４０…金物、５０…型枠板（型枠、板体）、６０…レベル調整部、６１…ベース部材（下部部材）、６２…レベル出し部材（上部部材）、６２ａ…孔、６２ｂ…孔、６３…レベル調整部材（位置調整部、棒材、支持部材）、６６…レベル調整ナット（位置調整部、レベル調整部材、支持部材）、６７…固定ナット、６８…ネジ部材、７０…補強部（保持部材）、８０…見切り金物、Ｃ…コンクリート
【図１】
2004132050.tif 000003
【図２】
2004132050.tif 000004
【図３】
2004132050.tif 000005
【図４】
2004132050.tif 000006
【図５】
2004132050.tif 000007
【図６】
2004132050.tif 000008
【図７】
2004132050.tif 000009
【図８】
2004132050.tif 000010
【図９】
2004132050.tif 000011